(57)【特許請求の範囲】
【請求項１】
圧力源からの圧力が導入される導入ポート、および前記圧力を開放する開放ポートを有し、前記開放ポートと前記導入ポートとを仕切る主弁と、
互いに異なる作動圧力値に設定され、前記圧力が前記作動圧力値を超えたときに前記主弁を開くことで前記導入ポートと前記開放ポートとを連通させて前記圧力を開放させる複数のパイロット弁と、
複数の前記パイロット弁のうち、前記作動圧力値が最も大きい前記パイロット弁以外の他の全ての前記パイロット弁を作動しないように切り換える切換部と、
を備え、
前記切換部は、他の前記パイロット弁に圧力を導入する圧力導入ラインに開閉弁を備え、
前記開閉弁は、他の前記パイロット弁を挟んだ両側にそれぞれ設けられている安全弁システム。
【請求項２】
他の前記パイロット弁を挟んだ両側の前記開閉弁の間における圧力を検出する圧力検出部をさらに備える請求項１に記載の安全弁システム。
【請求項３】
前記開閉弁は、電磁弁または開閉検出器付手動弁であり、
前記電磁弁の開閉動作を制御する制御部、または、前記開閉検出器付手動弁の開閉を検出する検出部をさらに備える
請求項１又は２に記載の安全弁システム。
【請求項４】
前記開閉弁の前後に設けられ、前記開閉弁への流れを遮断可能な遮断弁を備えていることを特徴とする請求項１から３のいずれか一項に記載の安全弁システム。
【請求項５】
前記開閉弁に並行するバイパス流路と、
前記バイパス流路を開閉するバイパス弁と、
を備えることを特徴とする請求項４に記載の安全弁システム。
【請求項６】
複数の前記パイロット弁に導入される前記圧力を減圧する減圧部をさらに備える請求項１から５の何れか一項に記載の安全弁システム。
【請求項７】
前記圧力源から導入される前記圧力を検出する系内圧力検出部をさらに備える請求項１から６の何れか一項に記載の安全弁システム。
【請求項８】
前記作動圧力値が最も大きい前記パイロット弁は、複数のバネを直列に備えることで最も大きい前記作動圧力値に設定され、かつ、複数の前記バネが着脱可能とされている請求項１から７の何れか一項に記載の安全弁システム。
【請求項９】
前記圧力源としての流体を収容するタンク本体と、
請求項１から８の何れか一項に記載の安全弁システムと、
を備えるタンク。
【請求項１０】
船体と、
前記船体に搭載された請求項９に記載のタンクと、
を備える船舶。
【請求項１１】
請求項１０に記載の船舶における安全弁システムの運用方法であって、
前記船体が停泊中の状態では、複数の前記パイロット弁のうち、前記作動圧力値が最も大きい前記パイロット弁以外の他の前記パイロット弁のみを作動しないようにして、
前記船体が航行中の状態では、複数の前記パイロット弁のうち、前記作動圧力値が最も大きい前記パイロット弁以外の他の前記パイロット弁を作動可能とする安全弁システムの運用方法。
【発明の詳細な説明】
【技術分野】
【０００１】
この発明は、安全弁システム、タンク、船舶、船舶における安全弁システムの運用方法に関する。
【背景技術】
【０００２】
ＬＮＧ（Liquefied Natural Gas：液化天然ガス）、ＬＰＧ（Liquefied Petroleum Gas：液化石油ガス）等の液化ガスを運搬する運搬船は、液化ガスを収容するタンクを備えている。タンク内の液化ガスが過冷却状態でなければタンク外部からタンク内部に侵入する熱によってタンク内の液化ガスが蒸発する。液化ガスの蒸発量がタンクから排出されるガスの量を上回ればタンク内の圧力が上昇する。
タンク内の圧力が過度に上昇しないよう、タンクは安全弁を備えている。タンクの許容圧力等に基づいて、安全弁が作動する圧力値が設定される。安全弁は、タンク内の圧力が予め定めた作動圧力値に到達したときに安全弁内部の主弁を開き、タンク内のガスを外部に放出する。
【０００３】
運搬船の航行中には、タンク外部からタンク内部へ侵入する熱に加え、タンク内の液化ガスの動揺により液化ガスの蒸発量が増加することがある。
そこで、特許文献１には、航行中に、安全弁の設定圧力値を変動させる構成が開示されている。
【０００４】
ここで、安全弁には、直動式のものと、パイロット式のものがある。
直動式の安全弁では、バネで主弁の弁体を一方の側から直接弁座に押圧し、弁体の他方の側に作用した圧力が、バネによる押圧力を上回ったときに主弁が開く。
一方で、パイロット式の安全弁は、弁体の一方の側に作用する圧力と他方の側に作用する圧力を等しくしつつその圧力を受ける面積に違いを持たせ、弁体を弁座に押圧する荷重を作用させる構造を有している。このパイロット式の安全弁では、弁体を弁座に押し付けている圧力をパイロット弁が低下させることで弁体が弁座から離れ主弁が開く。パイロット弁の構造は上述の直動式の安全弁の構造に似ており、バネでパイロット弁の弁体を一方の側から直接押圧し、弁体の他方の側に作用した圧力がバネによる押圧力を上回ったときに、弁体が弁座から離れてパイロット弁が作動する。このようなパイロット式の安全弁は、主弁の他方の側の圧力がパイロット弁に作用して、パイロット弁のバネによる押圧力を上回ったときに開き、圧力を開放する。パイロット弁の弁体をバネに対して押圧する圧力は主弁の弁体に作用する圧力と同じであり、パイロット弁が作動すると主弁の弁体を弁座に押し付けている圧力が低下し主弁が開く。大型の液化ガス運搬船のタンクには、パイロット式の安全弁が一般に用いられている。
【０００５】
このようなパイロット式の安全弁の作動圧力値を切り換えるには、パイロット弁のバネ自体をバネ定数の異なるものに交換するか、パイロット弁に装着するバネの数を変える必要がある。
【先行技術文献】
【特許文献】
【０００６】
【特許文献１】特許第４７５００９７号公報
【発明の概要】
【発明が解決しようとする課題】
【０００７】
しかしながら、特許文献１に記載の安全弁では、作業者が手作業でパイロット弁のバネを追加することにより作動圧力値を切り換えているため、適正に切り換えられているか（追加のバネが適正に取り付けられているか）判別が難しい、という課題がある。
この発明は、上記事情に鑑みてなされたものであり、安全弁の作動圧力値の切換を容易に行うことができる安全弁システム、タンク、船舶、船舶における安全弁システムの運用方法を提供することを目的とする。
【課題を解決するための手段】
【０００８】
この発明は、上記課題を解決するため、以下の手段を採用する。
この発明の第一態様によれば、安全弁システムは、圧力源からの圧力が導入される導入ポート、および前記圧力を開放する開放ポート有し、前記開放ポートと前記導入ポートとを仕切る主弁と、互いに異なる作動圧力値に設定され、前記圧力が前記作動圧力値を超えたときに前記主弁を開くことで前記導入ポートと前記開放ポートとを連通させて前記圧力を開放させる複数のパイロット弁と、複数の前記パイロット弁のうち、前記作動圧力値が最も大きい前記パイロット弁以外の他の全ての前記パイロット弁を作動しないように切り換える切換部と、を備え、前記切換部は、他の前記パイロット弁に圧力を導入する圧力導入ラインに開閉弁を備え、前記開閉弁は、他の前記パイロット弁を挟んだ両側にそれぞれ設けられている。
【０００９】
このように構成することで、切換部において、複数のパイロット弁のうち、作動圧力値が最も大きいパイロット弁以外の他の全てのパイロット弁を作動不能な状態、つまり作動しないように切り換えると、作動圧力値が最も大きいパイロット弁のみが作動可能な状態となる。一方で、切換部において、複数のパイロット弁のうち、作動圧力値が最も大きいパイロット弁以外の他のパイロット弁を作動可能な状態に切り換えれば、作動圧力値が最も大きいパイロット弁の作動圧力値よりも低い作動圧力値の他のパイロット弁を作動可能な状態にすることができる。これによって、バネの着脱等を行うことなく切換部で切換操作を行うのみで、安全弁の作動圧力値を切り換えることが可能となる。
また、作動圧力値が最も大きいパイロット弁は、他のパイロット弁の状態にかかわらず、常に作動可能な状態となる。このようにすると、少なくとも、作動圧力値が最も大きいパイロット弁においては、作業者が何らの切換作業をする必要が無いので作業ミスも起こらず、切換にともなう可動部分も存在しないので故障等のトラブルも生じ難い。その結果、最大作動圧力に対する安全弁システムの信頼性を高めることができる。
【００１０】
さらに、開閉弁を閉じれば、他のパイロット弁には圧力が導入されない状態となる。このように、開閉弁を開閉するのみで、切換部におけるパイロット弁の作動状態を容易に切り換えることが可能となる。
【００１１】
さらに、パイロット弁の両側の開閉弁を閉めることで、他のパイロット弁に対し、圧力が確実に導入されない状態とすることができ、システムの信頼性が高まる。
【００１２】
この発明の第二態様によれば、安全弁システムは、第一態様において、他の前記パイロット弁を挟んだ両側の前記開閉弁の間における圧力を検出する圧力検出部をさらに備えるようにしてもよい。
このように構成することで、パイロット弁の両側の開閉弁を閉めたか否か、つまり複数のパイロット弁の切換操作が正しく行われたかどうかを確認することができる。また、パイロット弁の両側の開閉弁を閉めた状態で、圧力検出部で検出する圧力が上昇すれば、いずれかのパイロット弁を挟んだ両側の前記開閉弁の一方あるいは両方でリークが生じていることを検知することができる。
【００１３】
この発明の第三態様によれば、安全弁システムは、第一又は第二態様において、前記開閉弁が、電磁弁または開閉検出器付手動弁であり、前記電磁弁の開閉動作を制御する制御部、または、前記開閉検出器付手動弁の開閉を検出する検出部をさらに備えていてもよい。
このように構成することで、開閉弁の開閉を遠隔操作により行うことができるとともに、開閉弁の開閉状態を開閉弁から離れた位置でモニタリングすることができる。
【００１４】
この発明の第四態様によれば、安全弁システムは、第一から第三態様の何れか一つの態様において、前記開閉弁の前後に設けられ、前記開閉弁への流れを遮断可能な遮断弁を備えていてもよい。
このように構成することで、開閉弁をメンテナンスしたり交換したりする際には、前後の遮断弁を閉じることで、開閉弁への流れを遮断することができる。これにより、開閉弁をメンテナンス等する時の作業性を向上することができる。
【００１５】
この発明の第五態様によれば、安全弁システムは、第四態様において、前記開閉弁に並行するバイパス流路と、前記バイパス流路を開閉するバイパス弁と、を備えていてもよい。
このように構成することで、開閉弁をメンテナンスしたり交換したりする際には、前後の遮断弁を閉じつつ、バイパス弁を開くことで、開閉弁に流入していた流体をバイパス流路によって迂回させることができる。
【００１６】
この発明の第六態様によれば、安全弁システムは、第一から第五態様の何れか一つの態様において、複数の前記パイロット弁に導入される前記圧力を減圧する減圧部をさらに備えるようにしてもよい。
作動圧力値が最も高いパイロット弁のみを作動させた状態から、より低い作動圧力値のパイロット弁を作動させる状態に移行する際、システム内の圧力が、切換先のパイロット弁の作動圧力値を超えていると、切換部における切換と同時に、切換先のパイロット弁が作動し圧力が開放されてしまう可能性がある。そのような場合に、切換部で切換を行うに先だって減圧部で減圧することで、切換先のパイロット弁に導入される圧力を、作動圧力値よりも低い状態とすることができる。
【００１７】
この発明の第七態様によれば、安全弁システムは、第一から第六態様の何れか一つの態様において、前記圧力源から導入される前記圧力を検出する系内圧力検出部をさらに備えるようにしてもよい。
このように構成することで、例えば、減圧部で減圧処理を行ったときに、減圧後の圧力が他のパイロット弁の作動圧力値を下回っているかどうかを確認することができる。
【００１８】
この発明の第八態様によれば、安全弁システムは、第一から第七態様の何れか一つの態様において、前記作動圧力値が最も大きい前記パイロット弁が、複数のバネを直列に備えることで最も大きい前記作動圧力値に設定され、かつ、複数の前記バネが着脱可能とされていてもよい。
このように構成することで、複数のバネのうちの少なくとも一つを取り外せば、パイロット弁を、より低い作動圧力値に切り換えることができる。そのため、作動圧力値が低い他のパイロット弁にトラブル等が生じた場合に、作動圧力値が最も高いパイロット弁を代わりに用いることができる。
【００１９】
この発明の第九態様によれば、タンクは、前記圧力源としての流体を収容するタンク本体と、第一から第八態様の何れか一つの態様の安全弁システムと、を備える。
このように構成することで、タンク内の圧力が過度に高くならないように確実に維持することができる。
【００２０】
この発明の第十態様によれば、船舶は、船体と、前記船体に搭載された第九態様のタンクと、を備える。
このように構成することで、船舶は、タンク内の圧力が過度に高くならないように確実に維持することができる。
【００２１】
この発明の第十一態様によれば、船舶における安全弁システムの運用方法は、第十の船舶における安全弁システムの運用方法であって、前記船体が停泊中の状態では、複数の前記パイロット弁のうち、前記作動圧力値が最も大きい前記パイロット弁以外の他の前記パイロット弁のみを作動しないようにし、前記船体が航行中の状態では、複数の前記パイロット弁のうち、前記作動圧力値が最も大きい前記パイロット弁以外の他の前記パイロット弁を作動可能とする。
このように構成することで、停泊中の状態では、航行中の状態に比較し、タンク内の圧力が開放される作動圧力値を、より高い状態に設定することができる。その結果、タンク内の流体を地上設備等に送出する際に、より多くの流体を送出することができる。
【発明の効果】
【００２２】
上述した安全弁システム、タンク、船舶、船舶における安全弁システムの運用方法によれば、安全弁の作動圧力値の切換を容易に行うことが可能となる。
【図面の簡単な説明】
【００２３】
【図１】この発明の第一実施形態に係るタンクを備えた船舶の概略構成を示す側断面図である。
【図２】上記タンクが備える安全弁システムの構成を示す図である。
【図３】２組のパイロット弁を備える安全弁システムにおいて、高圧設定の運用状態を示す図である。
【図４】２組のパイロット弁を備える安全弁システムにおいて、低圧設定の運用状態を示す図である。
【図５】上記安全弁システムにおいて、高圧側パイロット弁のバネを取り外した状態を示す図である。
【図６】この発明の第二実施形態に係る安全弁システムの構成を示す図である。
【発明を実施するための形態】
【００２４】
次に、この発明の実施形態に係る安全弁システム、タンク、船舶、船舶における安全弁システムの運用方法を図面に基づき説明する。
【００２５】
（第一実施形態）
図１は、第一実施形態におけるタンクを備えた船舶の概略構成を示す側断面図である。図２は、タンクが備える安全弁システムの構成を示す図である。
図１に示すように、この実施形態の運搬船（船舶）１０は、液化天然ガス（ＬＮＧ）、液化プロパンガス（ＬＰＧ）等の液化ガスを運搬する。この運搬船１０は、船体１１と、タンク（圧力源、タンク本体）１２と、安全弁システム２０Ａと、を少なくとも備えている。
【００２６】
船体１１は、上方に開口したタンク収容部１５を備えている。
タンク１２は、例えばアルミニウム合金製で、タンク収容部１５内に設けられている。タンク１２は、その内部に、運搬対象である液化ガスを収容する。
ここで、タンク１２の形状や構造、設置数等については何ら限定するものではない。
【００２７】
図２に示すように、安全弁システム２０Ａは、主弁２１と、高圧側パイロット弁２２と、低圧側パイロット弁２３と、切換部２４Ａと、逆止弁２５と、減圧弁（減圧部）２６と、を備えている。
【００２８】
主弁２１は、導入ポート２１ａと、開放ポート２１ｂと、ドーム室２１ｄと、弁体２１ｖを有している。導入ポート２１ａは、タンク１２（図１参照）の上部に連結されており、この導入ポート２１ａに、タンク１２内の蒸発ガス等のガスが導入される。これにより、主弁２１の弁体には、導入ポート２１ａを通じてタンク１２内の圧力Ｐが作用する。開放ポート２１ｂは、ライザ（図示無し）等に向けて開放している。弁体２１ｖは、導入ポート２１ａとドーム室２１ｄとの間の圧力差に応じて開閉する。これら導入ポート２１ａの圧力とドーム室２１ｄの圧力とが同一の場合には、弁体が閉状態となる。弁体が閉状態では、導入ポート２１ａと開放ポート２１ｂとを遮断し、開状態では、導入ポート２１ａと開放ポート２１ｂとを連通する。
【００２９】
高圧側パイロット弁２２は、ハウジング２２ａ内に、弁体２２ｂを備えている。この弁体２２ｂは、弁体２２ｂに対して直列に接続されたバネ２２ｃ，２２ｄにより、弁体２２ｂの閉塞方向に付勢されている。これらバネ２２ｃ，２２ｄのうち一方のバネ２２ｄは、着脱可能となっている。この実施形態におけるバネ２２ｃ，２２ｄは、同一のものを、弁体２２ｂに対して直列に設けている。
【００３０】
ハウジング２２ａ内の弁体２２ｂの一方の側には、第一圧力導入ラインＬ１１と、第一リターンラインＬ２１とが接続されている。
第一圧力導入ラインＬ１１は、主弁２１のドーム室２１ｄに接続されている。
第一リターンラインＬ２１は、リターンラインＬ２５を介し、タンク１２へと繋がっている。第一リターンラインＬ２１は、タンク１２内の蒸発ガス等のガスをハウジング２２ａ内の弁体２２ｂの一方の側に導入する。
【００３１】
ハウジング２２ａには、弁体２２ｂの他方の側に、第一圧力開放ラインＬ３１が接続されている。この第一圧力開放ラインＬ３１は、主弁２１の開放ポート２１ｂに接続されている。
【００３２】
高圧側パイロット弁２２は、第一リターンラインＬ２１を介してタンク１２内のガスがハウジング２２ａ内に流れ込むことで、ガスの圧力Ｐが、弁体２２ｂの一方の側に作用する状態となる。弁体２２ｂの他方の側には、バネ２２ｃ，２２ｄによる付勢力が作用しているため、圧力Ｐが付勢力を上回らない限り、弁体２２ｂは閉じた状態を維持する。
圧力Ｐがバネ２２ｃ，２２ｄの付勢力を上回ると、弁体２２ｂが開く。これにより、第一リターンラインＬ２１からハウジング２２ａ内に導入されたガスが、第一圧力開放ラインＬ３１を介して、主弁２１の開放ポート２１ｂに流れ込む。すると、ハウジング２２ａに接続された第一圧力導入ラインＬ１１の圧力が下がり、主弁２１のドーム室２１ｄの圧力が低下する。その結果、主弁２１の導入ポート２１ａとドーム室２１ｄとの間に圧力差が生じ、弁体２１ｖが開いて導入ポート２１ａと開放ポート２１ｂとが連通する。これによって、タンク１２内の圧力Ｐは、主弁２１を通して開放される。
【００３３】
ここで、高圧側パイロット弁２２は、バネ２２ｃ，２２ｄの数が、低圧側パイロット弁２３よりも多く、圧力Ｐを開放する際の圧力値、すなわち高圧側パイロット弁２２の作動圧力値Ｘ１が高く設定されている。
【００３４】
低圧側パイロット弁２３は、ハウジング２３ａ内に弁体２３ｂを備えている。弁体２３ｂは、バネ２３ｃにより弁体２３ｂが閉じる方向に付勢されている。バネ２３ｃは、高圧側パイロット弁２２のバネ２２ｃ，２２ｄと同等のものである。低圧側パイロット弁２３は、高圧側パイロット弁２２よりもバネ２３ｃの装備数が少なくなっていることで、弁体２３ｂが開放される圧力Ｐが高圧側パイロット弁２２よりも低くなっている。
【００３５】
ハウジング２３ａ内の弁体２３ｂの一方の側には、第二圧力導入ライン（圧力導入ライン）Ｌ１２と、第二リターンラインＬ２２と、が接続されている。
第二圧力導入ラインＬ１２は、主弁２１のドーム室２１ｄに接続されている。
第二リターンラインＬ２２は、リターンラインＬ２５を介し、タンク１２へと繋がっている。第二リターンラインＬ２２は、タンク１２内のガスをハウジング２３ａ内の弁体２２ｂの一方の側に導入する。ハウジング２３ａ内の弁体２３ｂの他方の側には、第二圧力開放ラインＬ３２が接続されている。この第二圧力開放ラインＬ３２は、主弁２１の開放ポート２１ｂに接続されている。
【００３６】
低圧側パイロット弁２３は、第二リターンラインＬ２２からタンク１２内のガスがハウジング２３ａ内に流れ込むことで、タンク１２内のガスの圧力Ｐが、弁体２３ｂの一方の側に作用する。弁体２３ｂの他方の側には、バネ２３ｃによる付勢力が作用しており、圧力Ｐが付勢力を上回らない限り、弁体２３ｂは閉じた状態を維持する。
【００３７】
圧力Ｐがバネ２３ｃの付勢力を上回ると、弁体２３ｂが開き、第二リターンラインＬ２２からハウジング２３ａ内に導入されたガスが、第二圧力開放ラインＬ３２を通して、主弁２１の開放ポート２１ｂに流れ込む。すると、第二圧力導入ラインＬ１２の圧力が下がり、主弁２１のドーム室２１ｄの圧力も低下する。その結果、主弁２１の導入ポート２１ａとドーム室２１ｄとの間に圧力差が生じ、弁体２１ｖが開いて導入ポート２１ａと開放ポート２１ｂとが連通する。これによって、タンク１２内の圧力Ｐは、主弁２１を通して開放される。ここで、低圧側パイロット弁２３のバネ２３ｃの数は、高圧側パイロット弁２２のバネ数よりも少なく、作動圧力値Ｘ２が低く設定されている。
【００３８】
切換部２４Ａは、低圧側パイロット弁２３へのタンク１２内のガスの導入、非導入を切り換える。切換部２４Ａは、第一開閉弁（開閉弁）２７と、第二開閉弁（開閉弁）２８と、を備えている。
【００３９】
第一開閉弁２７は、低圧側パイロット弁２３よりも主弁２１側の第二圧力導入ラインＬ１２に設けられている。第一開閉弁２７は、同一のものが直列に二重に設けられている。第一開閉弁２７は、通常、何れか一方を開閉し、他方は常時開状態とされる。低圧側パイロット弁２３側の第一開閉弁２７には、その開閉状態を検知するリミットスイッチ２７ｓが設けられ、リミットスイッチ２７ｓの検知信号は、安全弁システム２０Ａの制御部５０に出力される。
【００４０】
第二開閉弁２８は、低圧側パイロット弁２３を挟んで、主弁２１とは反対側の第二リターンラインＬ２２に設けられている。第二開閉弁２８も、第一開閉弁２７と同様に、同一のものが直列に二重に設けられている。第二開閉弁２８は、通常、何れか一方を開閉し、他方は常時開状態とされる。低圧側パイロット弁２３側の第二開閉弁２８には、その開閉状態を検知するリミットスイッチ２８ｓが設けられ、リミットスイッチ２８ｓの検知信号は、安全弁システム２０Ａの制御部５０に出力される。
【００４１】
これら第一開閉弁２７と第二開閉弁２８とを開閉することで、低圧側パイロット弁２３へのタンク１２内のガスの導入、非導入を切り替えることができる。より具体的には、第一開閉弁２７および第二開閉弁２８の双方を開くことで、タンク１２内のガスが低圧側パイロット弁２３に導入される。また、第一開閉弁２７、第二開閉弁２８の双方を閉じれば、低圧側パイロット弁２３へのタンク１２内のガスの導入が遮断される。
【００４２】
切換部２４Ａは、圧力計（系内圧力検出部）２９と、圧力計（圧力検出部）３０と、をさらに備える。
圧力計２９は、第二圧力導入ラインＬ１２において第一開閉弁２７よりも主弁２１側に設けられ、主弁２１のドーム室２１ｄの圧力Ｐを検知する。この圧力計２９には、圧力トランスミッター２９ｓが設けられ、その検知信号は、安全弁システム２０Ａの制御部５０に出力される。
【００４３】
圧力計３０は、第一開閉弁２７と第二開閉弁２８との間に設けられている。この実施形態では、圧力計３０は、第二圧力導入ラインＬ１２において、第一開閉弁２７と低圧側パイロット弁２３との間に配置されている。圧力計３０は、低圧側パイロット弁２３へ導入されるガスの圧力Ｐを検出する。圧力計３０には、圧力トランスミッター３０ｓが設けられ、その検知信号は、安全弁システム２０Ａの制御部５０に出力される。
【００４４】
逆止弁２５は、リターンラインＬ２５に設けられ、高圧側パイロット弁２２および低圧側パイロット弁２３側からタンク１２側へのガスの流れを遮断する。その反対に、逆止弁２５は、タンク１２から高圧側パイロット弁２２および低圧側パイロット弁２３へ向けてのガスの流入は可能となっている。
【００４５】
減圧弁２６は、逆止弁２５を迂回するバイパスラインＬ２６に設けられている。この減圧弁２６を開放することで、安全弁システム２０Ａ内の各ラインのガスをタンク１２に戻すことができ、各ラインの圧力を減圧することができる。この実施形態における減圧弁２６は、手動のマニュアルバルブに限られず、例えば、電磁弁や、ポジションスイッチを備えるマニュアルバルブに置き換えても良い。
【００４６】
上述した運搬船１０の航行中には、タンク１２内でガスが蒸発してガス化するのに加え、タンク１２内で液化ガスが動揺したり加速度を受けたりして圧力Ｐが上昇しやすい。これに対し、運搬船１０が停泊中の場合には、タンク１２内のガスの動揺が少なく意図しない圧力Ｐの上昇が生じ難い。そこで、この実施形態では、航行中と停泊中とで、安全弁システム２０Ａの作動圧力値を異ならせている。
【００４７】
図３は、２組のパイロット弁を備える安全弁システムにおいて、高圧設定の安全弁システム２０Ａの運用状態を示す図である。図３において、太線で示す部分は、ガスが通っている部位を示している。
図３に示すように、２組のパイロット弁を備える安全弁システムにおいて、高圧設定状態では、低圧側パイロット弁２３の切換部２４Ａの第一開閉弁２７、第二開閉弁２８の双方を閉じ、低圧側パイロット弁２３へタンク１２内のガスが導入されることを遮断する。すると、タンク１２内の圧力Ｐは、高圧側パイロット弁２２のみに作用する。
【００４８】
高圧側パイロット弁２２は、圧力Ｐが、作動圧力値Ｘ１を超えない限り、閉状態を維持する。圧力Ｐが作動圧力値Ｘ１を超えると、高圧側パイロット弁２２が開く。すると、高圧側パイロット弁２２内の圧力Ｐが、主弁２１の開放ポート２１ｂを介して開放される。これによって第一圧力導入ラインＬ１１の圧力が下がり、主弁２１のドーム室２１ｄの圧力も低下する。その結果、主弁２１の導入ポート２１ａとドーム室２１ｄとの間に圧力差が生じ、主弁２１の弁体２１ｖが開いて導入ポート２１ａと開放ポート２１ｂとが連通する。これにより、タンク１２内の圧力Ｐが主弁２１を通して開放され、タンク１２内の圧力Ｐが過度に高くなることを抑制できる。
【００４９】
さらに、高圧設定状態では、安全弁システム２０Ａの制御部５０は、圧力トランスミッター３０ｓの検出値を取得して定期的にモニタリングする。
【００５０】
また、高圧設定状態では、第一開閉弁２７、第二開閉弁２８の双方が閉じているので、圧力計３０の検出値が相対的に低い状態を維持している。しかし、圧力計３０の検出値が、上昇傾向にあることが確認された場合、第一開閉弁２７、第二開閉弁２８の少なくともいずれか一方において、リークが生じていることになる。すると、停泊状態にありながら、低圧側パイロット弁２３が作動し、高圧側パイロット弁２２の作動圧力値Ｘ１よりも低い圧力Ｐで低圧側パイロット弁２３が開放してしまう可能性がある。
【００５１】
そこで、圧力計３０の検出値が、上昇傾向にあることが確認された場合には、第一開閉弁２７，第二開閉弁２８は、同一のものが二重に設けられているので、第一開閉弁２７、第二開閉弁２８の双方において、通常使用していない側の第一開閉弁２７、第二開閉弁２８を閉じる。これにより、高圧設定状態で低圧側パイロット弁２３が作動することを防ぐことができる。
【００５２】
図４は、２組のパイロット弁を備える安全弁システムにおいて、低圧設定の安全弁システム２０Ａの運用状態を示す図である。図４において、太線で示す部分は、ガスが通っている部位を示している。
図４に示すように、２組のパイロット弁を備える安全弁システムにおいて、低圧設定状態では、低圧側パイロット弁２３の切換部２４Ａの第一開閉弁２７、第二開閉弁２８の双方を開く。すると、タンク１２内の圧力Ｐは、高圧側パイロット弁２２および低圧側パイロット弁２３に作用する。
【００５３】
低圧側パイロット弁２３は、圧力Ｐが低圧側パイロット弁２３の作動圧力値Ｘ２を超えない限り閉状態を維持する。圧力Ｐが作動圧力値Ｘ２を超えると、低圧側パイロット弁２３が開き、低圧側パイロット弁２３内の圧力Ｐが、主弁２１の開放ポート２１ｂを介して開放される。これによって第二圧力導入ラインＬ１２の圧力が下がり、主弁２１のドーム室２１ｄの圧力も低下する。その結果、主弁２１の導入ポート２１ａとドーム室２１ｄとの間の圧力差が生じ、弁体２１ｖが開いて導入ポート２１ａと開放ポート２１ｂとが連通する。これにより、タンク１２内の圧力Ｐが主弁２１を通して開放され、タンク１２内の圧力Ｐが過度に高くなることを抑えることができる。
【００５４】
ここで、低圧設定状態では、切換部２４Ａの第一開閉弁２７、第二開閉弁２８の双方を閉じる。第一開閉弁２７、第二開閉弁２８のそれぞれに設けられたリミットスイッチ２７ｓ，２８ｓからの検知信号により、安全弁システム２０Ａの制御部５０では、第一開閉弁２７、第二開閉弁２８の開閉状態を確認することができる。
【００５５】
さらに、安全弁システム２０Ａの制御部５０において、圧力計３０の検出値を、圧力トランスミッター３０ｓから取得し、第一開閉弁２７、第二開閉弁２８の開閉状態をモニタリングすることができる。制御部５０においては、圧力トランスミッター３０ｓにおける検出値が、予め定めた閾値よりも低ければ、第一開閉弁２７，第二開閉弁２８の双方が閉じ、図３に示すように、高圧側パイロット弁２２のみにタンク１２の圧力Ｐが作用している状態に移行していることを確認できる。
【００５６】
運搬船１０が高圧設定状態から低圧設定状態に移行するときには、切換部２４Ａの第一開閉弁２７、第二開閉弁２８の双方を開く。このとき圧力Ｐが低圧側パイロット弁２３の作動圧力値Ｘ２を超えていると、切換部２４Ａの第一開閉弁２７、第二開閉弁２８を開くと同時に、低圧側パイロット弁２３が開放してしまう。そこで、運搬船１０が高圧設定状態から低圧設定状態に移行するときには、まず、減圧弁２６を操作し、安全弁システム２０Ａの系内の圧力を作動圧力値Ｘ２以下に減圧する処理を行う。減圧処理後、圧力計２９で主弁２１のドーム室２１ｄの圧力Ｐを検出し、安全弁システム２０Ａの制御部５０では、この圧力計２９の検出値を、圧力トランスミッター２９ｓから取得する。圧力トランスミッター２９ｓにおける検出値が、作動圧力値Ｘ２よりも低ければ、減圧弁２６による減圧処理が正しく行われていることを確認できる。
【００５７】
したがって、上述した実施形態によれば、切換部２４Ａにおいて、低圧側パイロット弁２３のみを作動しないように切り換えると、作動圧力値Ｘ１が最も大きい高圧側パイロット弁２２のみを作動可能な状態にすることができる。また、切換部２４Ａにおいて、低圧側パイロット弁２３を作動可能な状態に切り換えれば、低圧側パイロット弁２３が作動可能な状態とすることができる。これによって、バネの着脱等を行うことなく、切換部２４Ａで切換操作を行うのみで、安全弁システム２０Ａにおける作動圧力値Ｘ１，Ｘ２を容易に切り換えることが可能となる。
【００５８】
また、作動圧力値Ｘ１が最も大きい高圧側パイロット弁２２は、低圧側パイロット弁２３の作動状態にかかわらず、常に作動する。そのため、少なくとも、高圧側パイロット弁２２においては、作業者が何らの切換作業をする必要が無いので作業ミスも起こらず、切換にともなう可動部分も存在しないので故障等のトラブルも生じにくく、安全弁システム２０Ａの信頼性が高まる。
【００５９】
また、第一開閉弁２７、第二開閉弁２８を開閉するのみで、高圧側パイロット弁２２と低圧側パイロット弁２３との切換を容易に行うことが可能となる。
【００６０】
さらに、第一開閉弁２７、第二開閉弁２８が、低圧側パイロット弁２３を挟んだ両側にそれぞれ設けられていることで、低圧側パイロット弁２３の両側の第一開閉弁２７、第二開閉弁２８を閉めると、低圧側パイロット弁２３に対し、圧力Ｐが確実に導入されない状態とすることができる。その結果、システム信頼性を向上できる。
【００６１】
また、低圧側パイロット弁２３を挟んだ両側の第一開閉弁２７、第二開閉弁２８の間の圧力を検出する圧力計３０を備えていることで、低圧側パイロット弁２３の両側の第一開閉弁２７、第二開閉弁２８を閉めた状態で、圧力計３０で検出する圧力Ｐが上昇すれば、いずれの第一開閉弁２７、第二開閉弁２８でリークが生じていることを検知することができる。
【００６２】
また、第一開閉弁２７、第二開閉弁２８が、それぞれ複数基、直列に設けられているので、第一開閉弁２７、第二開閉弁２８において、複数基のうちの一つにトラブルが生じた場合に、他の第一開閉弁２７、他の第二開閉弁２８に切り換えることができる。そのため、高圧側パイロット弁２２、低圧側パイロット弁２３の切換を確実に行うことができ、システム信頼性を高めることができる。
【００６３】
さらに、作動圧力値Ｘ１が最も高いパイロット弁のみを作動させた状態から、より低い作動圧力値Ｘ２の低圧側パイロット弁２３を作動させる状態に移行する際、圧力Ｐが、低圧側パイロット弁２３の作動圧力値Ｘ２を超えていると、切換部２４Ａにおける切換と同時に、圧力Ｐが開放されてしまうことがある。しかし、そのような場合に、切換部２４Ａで切換を行うに先だって減圧弁２６で減圧することで、低圧側パイロット弁２３に作用する圧力Ｐを、作動圧力値Ｘ２よりも低い状態とすることができる。これによって、切換部２４Ａにおける切換と同時に、圧力Ｐが開放されてしまうことを抑制できる。
【００６４】
例えば、減圧弁２６で減圧処理を行ったときに、減圧後の圧力Ｐが低圧側パイロット弁２３の作動圧力値Ｘ１，Ｘ２を下回っているかどうかを確実に確認することができる。そのため、システム信頼性をさらに高めることができる。
【００６５】
図５は、高圧側パイロット弁２２において、バネ２２ｄを取り外した状態を示す図である。
高圧側パイロット弁２２は、複数のバネ２２ｃ，２２ｄが着脱可能とされているので、例えば、図５に示すように、複数のバネ２２ｃ，２２ｄのうちの少なくとも一つを取り外すことで、高圧側パイロット弁２２を、より低い作動圧力値Ｘ１に変更することができる。そのため、低圧側パイロット弁２３にトラブル等が生じた場合に、高圧側パイロット弁２２を代わりに用いることができる。
【００６６】
運搬船１０が高圧設定状態では、低圧設定状態に比較し、タンク１２内の圧力Ｐが開放される作動圧力値Ｘ１を、より高い状態に設定することができる。そのため、タンク１２内の圧力Ｐが無駄に開放されることを抑制できる。また、地上設備にタンク１２内の貯蔵物を効率よく送出させることができる。
【００６７】
（第一実施形態の変形例）
上記第一実施形態では、第一開閉弁２７、第二開閉弁２８のそれぞれに設けられたリミットスイッチ２７ｓ，２８ｓからの検知信号により、安全弁システム２０Ａの制御部５０で、第一開閉弁２７、第二開閉弁２８の開閉状態を確認するようにしたが、これに限らない。リミットスイッチ２７ｓ，２８ｓを省略し、第一開閉弁２７、第二開閉弁２８の開閉状態を、作業員が目視で確認するようにしてもよい。さらに、第一実施形態では、第一開閉弁２７と第二開閉弁２８がそれぞれリミットスイッチ２７ｓ，２８ｓを備える電磁弁である場合について説明した。しかし、これら第一開閉弁２７と第二開閉弁２８とをそれぞれ開閉検出器付手動弁としても良い。この場合、制御部５０に代えて開閉検出器付手動弁の開閉状態を検出する検出部を設けても良い。この場合、開閉検出器付手動弁から離れた位置に配置されている検出部によって開閉状態を確認したユーザーが、手動で開弁操作、および閉弁操作を行う。
【００６８】
上記第一実施形態では、圧力計３０の検出値を、圧力トランスミッター３０ｓから取得し、安全弁システム２０Ａの制御部５０で、第一開閉弁２７、第二開閉弁２８の開閉状態をモニタリングするようにしたが、これに限らない。第一開閉弁２７、第二開閉弁２８の開閉状態は、作業員が目視で確認するようにしてもよい。また、圧力トランスミッター３０ｓを省略しつつ、リミットスイッチ２７ｓ，２８ｓを備える構成とするのであれば、リミットスイッチ２７ｓ，２８ｓからの検知信号により、安全弁システム２０Ａの制御部５０で、第一開閉弁２７、第二開閉弁２８の開閉状態を確認するようにしてもよい。
【００６９】
上記第一実施形態では、主弁２１のドーム室２１ｄの圧力Ｐを検出する圧力計２９の検出値を、圧力トランスミッター２９ｓから取得し、減圧弁２６による減圧処理が正しく行われているか否かを、安全弁システム２０Ａの制御部５０で確認するようにしたが、これに限らない。圧力トランスミッター２９ｓを省略するようにしてもよい。
【００７０】
（第二実施形態）
次に、この発明に係る安全弁システム、タンク、船舶、船舶における安全弁システムの運用方法第二実施形態について説明する。以下に説明する第二実施形態においては、第一実施形態と切換部の構成のみが異なるので、第一実施形態と同一部分に同一符号を付して説明するとともに、重複説明を省略する。
【００７１】
図６は、この発明の第二実施形態に係る安全弁システムの構成を示す図である。
図６に示すように、この実施形態における安全弁システム２０Ｂは、主弁２１と、高圧側パイロット弁２２と、低圧側パイロット弁２３と、切換部２４Ｂと、逆止弁１２５と、減圧用電磁弁１２６と、を備えている。
【００７２】
高圧側パイロット弁２２は、リターンラインＬ２５、及び、第一リターンラインＬ２１を介してタンク１２内のガスがハウジング２２ａに流れ込むことで、ガスの圧力Ｐが、弁体２２ｂの一方の側に作用する状態となる。弁体２２ｂの他方の側には、バネ２２ｃ，２２ｄによる付勢力が作用しているため、圧力Ｐが付勢力を上回らない限り、弁体２２ｂは閉じた状態を維持する。
圧力Ｐがバネ２２ｃ，２２ｄの付勢力を上回ると、弁体２２ｂが開く。これにより、第一リターンラインＬ２１からハウジング２２ａ内に導入されたガスが、第一圧力開放ラインＬ３１を介して、主弁２１の開放ポート２１ｂに流れ込む。すると、ハウジング２２ａに接続された第一圧力導入ラインＬ１１の圧力が下がり、主弁２１のドーム室２１ｄの圧力が低下する。その結果、主弁２１の導入ポート２１ａとドーム室２１ｄとの間に圧力差が生じ、弁体２１ｖが開いて導入ポート２１ａと開放ポート２１ｂとが連通する。これによって、タンク１２内の圧力Ｐは、主弁２１を通して開放される。
【００７３】
低圧側パイロット弁２３は、リターンラインＬ２５、及び、第二リターンラインＬ２２を介してタンク１２内のガスがハウジング２３ａ内に流れ込むことで、タンク１２内のガスの圧力Ｐが、弁体２３ｂの一方の側に作用する。弁体２３ｂの他方の側には、バネ２３ｃによる付勢力が作用しており、圧力Ｐが付勢力を上回らない限り、弁体２３ｂは閉じた状態を維持する。
【００７４】
圧力Ｐがバネ２３ｃの付勢力を上回ると、弁体２３ｂが開き、第二リターンラインＬ２２からハウジング２３ａ内に導入されたガスが、第二圧力開放ラインＬ３２を通して、主弁２１の開放ポート２１ｂに流れ込む。すると、第二圧力導入ラインＬ１２の圧力が下がり、主弁２１のドーム室２１ｄの圧力も低下する。その結果、主弁２１の導入ポート２１ａとドーム室２１ｄとの間に圧力差が生じ、弁体２１ｖが開いて導入ポート２１ａと開放ポート２１ｂとが連通する。これによって、タンク１２内の圧力Ｐは、主弁２１を通して開放される。ここで、低圧側パイロット弁２３のバネ２３ｃの数は、高圧側パイロット弁２２のバネ数よりも少なく、作動圧力値Ｘ２が低く設定されている。
【００７５】
切換部２４Ｂは、低圧側パイロット弁２３へのタンク１２内のガスの導入、非導入を切り換える。切換部２４Ｂは、第一電磁弁（開閉弁）１２７と、第二電磁弁（開閉弁）１２８と、を備えている。
【００７６】
第一電磁弁１２７は、低圧側パイロット弁２３よりも主弁２１側の第二圧力導入ラインＬ１２に設けられている。第一電磁弁１２７は、安全弁システム２０Ｂの制御部１５０により、その開閉動作が制御される。
【００７７】
第一電磁弁１２７は、その前後に、手動の遮断弁１４０ｖ１，１４０ｖ２を備えている。
第一電磁弁１２７が設けられた第二圧力導入ラインＬ１２と並行して、バイパスライン（バイパス流路）Ｌ１２Ｂが設けられている。バイパスラインＬ１２Ｂは、第二圧力導入ラインＬ１２から分岐して、第一電磁弁１２７を迂回するように形成されている。バイパスラインＬ１２Ｂは、手動のバイパス弁１４１を備えている。
ここで、手動の遮断弁１４０ｖ１，１４０ｖ２は、通常時は常時開いている。バイパス弁１４１は、通常時は常時閉じている。第一電磁弁１２７をメンテナンスしたり交換する際に、手動の遮断弁１４０ｖ１，１４０ｖ２が閉じられるとともに、バイパス弁１４１が開かれる。
【００７８】
第二電磁弁１２８は、低圧側パイロット弁２３を挟んで、主弁２１とは反対側の第二リターンラインＬ２２に設けられている。第二電磁弁１２８は、安全弁システム２０Ｂの制御部１５０により、その開閉動作が制御される。
【００７９】
第二電磁弁１２８は、その前後に、手動の遮断弁１４２ｖ１，１４２ｖ２を備えている。
第二電磁弁１２８が設けられた第二リターンラインＬ２２と並行して、バイパスライン（バイパス流路）Ｌ２２Ｂが設けられている。バイパスラインＬ２２Ｂは、第二リターンラインＬ２２から分岐して、第二電磁弁１２８を迂回するように形成されている。バイパスラインＬ２２Ｂは、手動のバイパス弁１４３を備えている。
ここで、手動の遮断弁１４２ｖ１，１４２ｖ２は、通常時は常時開いている。バイパス弁１４３は、通常時は常時閉じている。第二電磁弁１２８をメンテナンスしたり交換したりする際に、手動の遮断弁１４２ｖ１，１４２ｖ２が閉じられるとともに、バイパス弁１４３が開かれる。
【００８０】
この第二実施形態における第一リターンラインＬ２１と、第二リターンラインＬ２２と、バイパスラインＬ２２Ｂとは、それぞれ連結ラインＬ２８によって連結されている。具体的には、連結ラインＬ２８は、後述する逆止弁１２５よりも低圧側パイロット弁２３に近い位置で第一リターンラインＬ２１に接続されている。連結ラインＬ２８は、更に、第二電磁弁１２８と隣り合う遮断弁１４２ｖ２と、後述する減圧用電磁弁１２６と隣り合う遮断弁１４４ｖ１との間の位置で、第二リターンラインＬ２２に接続されている。連結ラインＬ２８は、更に、直列に接続されたバイパス弁１４３と後述するバイパス弁１４５との間の位置で、バイパスラインＬ２２Ｂに連結されている。
【００８１】
これら第一電磁弁１２７と第二電磁弁１２８とを開閉することで、低圧側パイロット弁２３へのタンク１２内のガスの導入、非導入を切り替えることができる。より具体的には、第一電磁弁１２７および第二電磁弁１２８の双方を開くことで、タンク１２内のガスが低圧側パイロット弁２３に導入される。第一電磁弁１２７、第二電磁弁１２８の双方を閉じれば、低圧側パイロット弁２３へのタンク１２内のガスの導入が遮断される。
【００８２】
切換部２４Ｂは、圧力計（系内圧力検出部）１２９と、圧力トランスミッター１２９ｓと、圧力計（圧力検出部）１３０と、圧力トランスミッター１３０ｓと、をさらに備えている。
【００８３】
圧力計１２９は、主弁２１のドーム室２１ｄの圧力Ｐを計測して表示する。この圧力計１２９は、第一電磁弁１２７と主弁２１との間の位置の第二圧力導入ラインＬ１２、より具体的には、手動の遮断弁１４０ｖ１よりも主弁２１に近い位置の第二圧力導入ラインＬ１２に分岐接続されている。この圧力計１２９は、メンテナンス時等に第二圧力導入ラインＬ１２から切り離せるように、手動の遮断弁１６０ｖ１を介して設けられている。
【００８４】
圧力トランスミッター１２９ｓは、主弁２１のドーム室２１ｄの圧力Ｐを検知して、その検知信号を安全弁システム２０Ｂの制御部１５０に出力する。この圧力トランスミッター１２９ｓは、圧力計１２９と隣り合うように並んで設けられている。圧力トランスミッター１２９ｓは、第二圧力導入ラインＬ１２の第一電磁弁１２７よりも主弁２１に近い位置、より具体的には、遮断弁１４０ｖ１よりも主弁２１に近い位置に、遮断弁１６０ｖ２を介して設けられている。図６においては、圧力トランスミッター１２９ｓが圧力計１２９よりも主弁２１に近い位置に配置されている。しかし、圧力計１２９と圧力トランスミッター１２９ｓとの配置は、この配置に限定されるものではない。例えば、図６に示す圧力トランスミッター１２９ｓは、圧力計１２９よりも第一電磁弁１２７に近い側に配置するようにしても良い。
【００８５】
圧力計１３０は、低圧側パイロット弁２３へ導入されるガスの圧力Ｐを計測して表示する。この圧力計１３０は、第一電磁弁１２７と低圧側パイロット弁２３との間の位置の第二圧力導入ラインＬ１２、より具体的には、手段の遮断弁１４０ｖ２よりも低圧側パイロット弁２３に近い側の位置の第二圧力導入ラインＬ１２に分岐接続されている。この圧力計１３０は、上述した圧力計１２９と同様に、メンテナンス時等に第二圧力導入ラインＬ１２から切り離せるように、手動の遮断弁１６１ｖ１を介して設けられている。
【００８６】
圧力トランスミッター１３０ｓは、低圧側パイロット弁２３へ導入されるガスの圧力Ｐを検知して、その検知信号を安全弁システム２０Ｂの制御部１５０に出力する。この圧力トランスミッター１３０ｓは、圧力計１３０と隣り合うように並んで設けられている。圧力トランスミッター１３０ｓは、第二圧力導入ラインＬ１２の第一電磁弁１２７よりも低圧側パイロット弁２３に近い位置、より具体的には、遮断弁１４０ｖ２よりも低圧側パイロット弁２３に近い位置に、遮断弁１６１ｖ２を介して設けられている。図６においては、圧力トランスミッター１３０ｓが圧力計１３０よりも低圧側パイロット弁２３に近い位置に配置されている。しかし、圧力計１３０と圧力トランスミッター１３０ｓとの配置は、この配置に限定されるものではない。例えば、図６に示す圧力トランスミッター１３０ｓは、圧力計１３０よりも第一電磁弁１２７に近い側に配置するようにしても良い。
【００８７】
ここで、図６においては、圧力計１２９と、圧力トランスミッター１２９ｓとを、個別に第二圧力導入ラインＬ１２に分岐接続し、更に、圧力計１３０と、圧力トランスミッター１３０ｓとを、個別に第二圧力導入ラインＬ１２に分岐接続する場合について説明した。しかし、これらの構成に限られず、第一実施形態の圧力計３０、及び、圧力トランスミッター３０ｓのように、第二圧力導入ラインＬ１２に対して樹枝状に分岐接続させるようにしても良い。
【００８８】
逆止弁１２５は、リターンラインＬ２５に設けられ、第一実施形態の逆止弁と同様に、高圧側パイロット弁２２からタンク１２へ向かうガスの流れを遮断する。その反対に、逆止弁２５は、タンク１２から高圧側パイロット弁２２および低圧側パイロット弁２３へ向けてのガスの流入は可能となっている。
【００８９】
減圧用電磁弁１２６は、逆止弁１２５を迂回するバイパスラインＬ２６に設けられている。この減圧用電磁弁１２６を開放することで、安全弁システム２０Ｂ内の各ラインのガスをタンク１２に戻すことができ、各ラインの圧力を減圧することができる。減圧用電磁弁１２６は、安全弁システム２０Ｂの制御部１５０により、その開閉動作が制御される。
【００９０】
減圧用電磁弁１２６は、その前後に、手動の遮断弁１４４ｖ１，１４４ｖ２を備えている。
減圧用電磁弁１２６が設けられたバイパスラインＬ２６と並行して、第二バイパスラインＬ２６Ｂが設けられている。第二バイパスラインＬ２６Ｂは、バイパスラインＬ２６から分岐して、減圧用電磁弁１２６を迂回するように形成されている。第二バイパスラインＬ２６Ｂは、手動のバイパス弁１４５を備えている。
バイパスラインＬ２６、第二バイパスラインＬ２６Ｂは、連結ラインＬ２８に接続されている。
ここで、手動の遮断弁１４４ｖ１，１４４ｖ２は、通常時は常時開いている。バイパス弁１４５は、通常時は常時閉じている。減圧用電磁弁１２６をメンテナンスしたり交換したりする際に、手動の遮断弁１４４ｖ１，１４４ｖ２が閉じられるとともに、バイパス弁１４５が開かれる。
【００９１】
上述した運搬船１０では、上記第一実施形態と同様、航行中と停泊中とで、安全弁システム２０Ｂの作動圧力値を異ならせている。
すなわち、運搬船１０が停泊しているときには、低圧側パイロット弁２３の切換部２４Ｂの第一電磁弁１２７、第二電磁弁１２８の双方を閉じ、低圧側パイロット弁２３へタンク１２内のガスが導入されることを遮断する。すると、タンク１２内の圧力Ｐは、高圧側パイロット弁２２のみに作用する。高圧側パイロット弁２２は、圧力Ｐが、作動圧力値Ｘ１を超えない限り、閉状態を維持し、圧力Ｐが作動圧力値Ｘ１を超えると、高圧側パイロット弁２２が開く。これにより、タンク１２内の圧力Ｐが主弁２１を通して開放され、タンク１２内の圧力Ｐが過度に高くなることを抑制できる。
【００９２】
運搬船１０が航行しているときには、低圧側パイロット弁２３の切換部２４Ｂの第一電磁弁１２７、第二電磁弁１２８の双方を開く。すると、タンク１２内の圧力Ｐは、高圧側パイロット弁２２および低圧側パイロット弁２３に作用する。低圧側パイロット弁２３は、圧力Ｐが低圧側パイロット弁２３の作動圧力値Ｘ２を超えない限り閉状態を維持し、圧力Ｐが作動圧力値Ｘ２を超えると、低圧側パイロット弁２３が開く。これにより、タンク１２内の圧力Ｐが主弁２１を通して開放され、タンク１２内の圧力Ｐが過度に高くなることを抑えることができる。
【００９３】
したがって、上述した第二実施形態によれば、上記第一実施形態と同様、切換部２４Ｂにおいて、低圧側パイロット弁２３のみを作動しないように切り換えると、作動圧力値Ｘ１が最も大きい高圧側パイロット弁２２のみを作動可能な状態にすることができる。また、切換部２４Ｂにおいて、低圧側パイロット弁２３を作動可能な状態に切り換えれば、低圧側パイロット弁２３を作動可能な状態とすることができる。これによって、バネの着脱等を行うことなく、切換部２４Ｂで切換操作を行うのみで、安全弁システム２０Ｂにおける作動圧力値Ｘ１，Ｘ２を容易に切り換えることが可能となる。
【００９４】
さらに、作動圧力値Ｘ１が最も大きい高圧側パイロット弁２２は、低圧側パイロット弁２３の作動状態にかかわらず、常に作動する。そのため、少なくとも、高圧側パイロット弁２２においては、作業者が何らの切換作業をする必要が無いので作業ミスも起こらず、切換にともなう可動部分も存在しないので故障等のトラブルも生じにくく、安全弁システム２０Ｂの信頼性が高まる。
【００９５】
さらに、第一電磁弁１２７、第二電磁弁１２８、減圧用電磁弁１２６が、電磁弁であるので、第一電磁弁１２７、第二電磁弁１２８、減圧用電磁弁１２６の開閉を、遠隔操作により行うことができるとともに、第一電磁弁１２７、第二電磁弁１２８、減圧用電磁弁１２６の開閉状態もモニタリングすることができる。したがって、高圧側パイロット弁２２と低圧側パイロット弁２３との切換、減圧用電磁弁１２６の開閉を容易に行うことが可能となる。
【００９６】
さらに、第一電磁弁１２７、第二電磁弁１２８、減圧用電磁弁１２６の前後に、第一電磁弁１２７、第二電磁弁１２８、減圧用電磁弁１２６への流れを遮断する遮断弁１４０ｖ１，１４０ｖ２，１４２ｖ１，１４２ｖ２，１４４ｖ１，１４４ｖ２が開閉可能に設けられている。これにより、第一電磁弁１２７、第二電磁弁１２８、減圧用電磁弁１２６をメンテナンスしたり交換したりする際には、前後の遮断弁１４０ｖ１，１４０ｖ２，１４２ｖ１，１４２ｖ２，１４４ｖ１，１４４ｖ２を閉じることで、第一電磁弁１２７、第二電磁弁１２８、減圧用電磁弁１２６への流れを遮断することができる。これにより、第一電磁弁１２７、第二電磁弁１２８、減圧用電磁弁１２６をメンテナンス等する時の作業性が向上する。
【００９７】
さらに、第一電磁弁１２７、第二電磁弁１２８、減圧用電磁弁１２６に並行するバイパスラインＬ１２Ｂ，Ｌ２２Ｂ、第二バイパスラインＬ２６Ｂと、バイパスラインＬ１２Ｂ，Ｌ２２Ｂ、第二バイパスラインＬ２６Ｂを開閉するバイパス弁１４１，１４３，１４５と、を備えている。これにより、第一電磁弁１２７、第二電磁弁１２８、減圧用電磁弁１２６をメンテナンスしたり交換したりする際には、それらの前後に配置された遮断弁１４０ｖ１，１４０ｖ２，１４２ｖ１，１４２ｖ２，１４４ｖ１，１４４ｖ２を閉じつつ、バイパス弁１４１，１４３，１４５を開くことで、第一電磁弁１２７、第二電磁弁１２８、減圧用電磁弁１２６を流れるガスをバイパスラインＬ１２Ｂ，Ｌ２２Ｂ、第二バイパスラインＬ２６Ｂに迂回させることができる。したがって、作業を行いながらも、安全弁システム２０Ｂを運用することが可能となる。
【００９８】
さらに、第一電磁弁１２７、第二電磁弁１２８が、低圧側パイロット弁２３を挟んだ両側にそれぞれ設けられていることで、低圧側パイロット弁２３の両側の第一電磁弁１２７、第二電磁弁１２８を閉めると、低圧側パイロット弁２３に対し、圧力Ｐが確実に導入されない状態とすることができる。その結果、システム信頼性を向上できる。
【００９９】
さらに、低圧側パイロット弁２３を挟んだ両側の第一電磁弁１２７、第二電磁弁１２８の間の圧力を検出する圧力計１３０を備えていることで、低圧側パイロット弁２３の両側の第一電磁弁１２７、第二電磁弁１２８を閉めた状態で、圧力計１３０で検出する圧力Ｐが上昇すれば、いずれの第一電磁弁１２７、第二電磁弁１２８でリークが生じていることを検知することができる。
【０１００】
（その他の変形例）
この発明は、上述した実施形態に限定されるものではなく、この発明の趣旨を逸脱しない範囲において、上述した実施形態に種々の変更を加えたものを含む。すなわち、実施形態で挙げた具体的な形状や構成等は一例にすぎず、適宜変更が可能である。
例えば、上記実施形態では、タンク１２にＬＮＧやＬＰＧ等の液化ガスを搭載するようにしたが、他の種類のガスや液体を収容する場合であっても、この発明を適用可能である。
また、タンク１２に限らず、配管等にも上記安全弁システム２０Ａ，２０Ｂを適用することができる。さらに、船舶に搭載されないタンクや配管以外にも、この発明は適用可能である。
【符号の説明】
【０１０１】
１０  運搬船（船舶）
１１  船体
１２  タンク（圧力源、タンク本体）
１５  タンク収容部
２０Ａ，２０Ｂ  安全弁システム
２１  主弁
２１ａ  導入ポート
２１ｂ  開放ポート
２１ｄ  ドーム室
２１ｖ  弁体
２２  高圧側パイロット弁
２２ａ  ハウジング
２２ｂ  弁体
２２ｃ，２２ｄ  バネ
２３  低圧側パイロット弁
２３ａ  ハウジング
２３ｂ  弁体
２３ｃ  バネ
２４Ａ，２４Ｂ  切換部
２５  逆止弁
２６  減圧弁（減圧部）
２７  第一開閉弁（開閉弁）
２７ｓ  リミットスイッチ
２８  第二開閉弁（開閉弁）
２８ｓ  リミットスイッチ
２９，１２９  圧力計（系内圧力検出部）
２９ｓ，１２９ｓ  圧力トランスミッター
３０，１３０  圧力計（圧力検出部）
３０ｓ，１３０ｓ  圧力トランスミッター
１２５  逆止弁
１２６  減圧用電磁弁
１２７  第一電磁弁（開閉弁）
１２８  第二電磁弁（開閉弁）
１２９  圧力計
１２９ｓ  圧力トランスミッター
１３０  圧力計
１３０ｓ  圧力トランスミッター
１４０ｖ１，１４０ｖ２，１４２ｖ１，１４２ｖ２  遮断弁
１４１，１４３  バイパス弁
１４４ｖ１，１４４ｖ２  遮断弁
１４５  バイパス弁
５０，１５０  制御部
１６０ｖ１，１６０ｖ２，１６１ｖ１，１６１ｖ２  遮断弁
Ｌ１１  第一圧力導入ライン
Ｌ１２  第二圧力導入ライン（圧力導入ライン）
Ｌ１２Ｂ，Ｌ２２Ｂ  バイパスライン（バイパス流路）
Ｌ２１  第一リターンライン
Ｌ２２  第二リターンライン
Ｌ２５  リターンライン
Ｌ２６  バイパスライン
Ｌ２６Ｂ  第二バイパスライン
Ｌ３１  第一圧力開放ライン
Ｌ３２  第二圧力開放ライン
Ｐ  圧力
Ｘ１  作動圧力値
Ｘ２  作動圧力値
【図１】
0006582347.tif 000002
【図２】
0006582347.tif 000003
【図３】
0006582347.tif 000004
【図４】
0006582347.tif 000005
【図５】
0006582347.tif 000006
【図６】
0006582347.tif 000007